(57)【要約】【課題】車両の床上に配置される電線及び防音パネルを含む防音パネルモジュールにおいて、床上の配線経路の一部のみが異なる複数の仕様に対応する場合に部品を極力共用できること。【解決手段】防音パネルモジュール１０において、合体防音パネル２は、一の平面に沿って並ぶとともに縁部どうしが重なった状態で接合された複数の要素防音パネル１を含む。合体防音パネル２において、隣り合う要素防音パネル１における相互に重なった縁部が配線路を形成している。電線３は、合体防音パネル２の配線路２０に通されている。【選択図】図１
2015113095.tif 000002
【特許請求の範囲】
【請求項１】
一の平面に沿って並ぶとともに縁部どうしが重なった状態で接合された複数の要素防音パネルを含み、隣り合う前記要素防音パネルにおける相互に重なった縁部が配線路を形成している車両の床用の合体防音パネルと、
前記合体防音パネルの前記配線路に通された電線と、を備える車両の床用の防音パネルモジュール。
【請求項２】
前記要素防音パネル各々の縁部に、隣の前記要素防音パネルの一部と係り合う係合部が形成されている、請求項１に記載の車両の床用の防音パネルモジュール。
【請求項３】
前記要素防音パネルにおける前記配線路を形成する縁部の端に前記電線に沿って形成された舌片部と、
前記電線と前記舌片部とを結束する結束材と、をさらに備える請求項１又は請求項２に記載の車両の床用の防音パネルモジュール。
【発明の詳細な説明】
【技術分野】
【０００１】
本発明は、車両の床上に載置される防音パネルと車両の床に沿って取り付けられる電線とを含む車両の床用の防音パネルモジュールに関する。
【背景技術】
【０００２】
自動車などの車両において、電線が居室の床に沿って配線される。さらに、防音パネルが床とカーペットとの間に配置される場合がある。床上の防音パネルは、例えば発泡樹脂パネルである。
【０００３】
また、特許文献１は、車両の床に沿って配線される電線（ワイヤハーネス）が、積層された状態で固着した複数の発泡樹脂シートの間のハーネス挿通路に通された構造を有するワイヤハーネスモジュールを示している。これにより、電線及び発泡樹脂シートを一括して車両の床に取り付けることができ、車両への部品取り付けの作業効率が良くなる。
【先行技術文献】
【特許文献】
【０００４】
【特許文献１】特開２０１０−２５９２９７号公報
【発明の概要】
【発明が解決しようとする課題】
【０００５】
ところで、車両の床上における配線経路は、例えば型式が同じ複数の車両各々において、オプション部品の有無などに応じて一部のみが異なる場合がある。同様に、車両の床上における配線経路は、例えばマイナーチェンジ前後の車両各々において、一部の経路のみが異なる場合がある。
【０００６】
複数の車両各々において、床上の配線経路の一部のみが異なる場合に、電線と防音パネルとを含むモジュールの製造効率及びコストの面から、部品を極力共用できることが望ましい。
【０００７】
本発明は、車両の床上に配置される電線及び防音パネルを含む防音パネルモジュールにおいて、床上の配線経路の一部のみが異なる複数の仕様に対応する場合に部品を極力共用できることを目的とする。
【課題を解決するための手段】
【０００８】
第１態様に係る車両の床用の防音パネルモジュールは、車両の床用の合体防音パネルと電線とを備える。合体防音パネルは、一の平面に沿って並ぶとともに縁部どうしが重なった状態で接合された複数の要素防音パネルを含む。上記合体防音パネルにおいて、隣り合う上記要素防音パネルにおける相互に重なった縁部が配線路を形成している。上記電線は、上記合体防音パネルの上記配線路に通されている。
【０００９】
第２態様に係る車両の床用の防音パネルモジュールは、第１態様に係る車両の床用の防音パネルモジュールの一態様である。第２態様において、上記要素防音パネル各々の縁部に、隣の上記要素防音パネルの一部と係り合う係合部が形成されている。
【００１０】
第３態様に係る車両の床用の防音パネルモジュールは、第１態様又は第２態様に係る車両の床用の防音パネルモジュールの一態様である。第３態様に係る車両の床用の防音パネルモジュールは、上記要素防音パネルに形成された舌片部と、上記電線と上記舌片部とを結束する結束材と、をさらに備える。上記舌片部は、上記要素防音パネルにおける上記配線路を形成する縁部の端に上記電線に沿って形成されている。
【発明の効果】
【００１１】
上記の各態様において、合体防音パネルは、一の平面に沿って並ぶとともに縁部どうしが重なった状態で接合された複数の要素防音パネルの集合体である。そして、電線は、隣り合う要素防音パネルにおける相互に重なった縁部が形成する配線路に通されている。
【００１２】
従って、上記の各態様によれば、電線及び防音パネルを一括して車両の床に取り付けることができ、車両への部品取り付けの作業効率が良くなる。また、緩衝材でもある要素防音パネルが電線の周囲を覆うため、電線に異音防止用の緩衝材を取り付ける必要がなくなる。
【００１３】
さらに、床上の配線経路の一部のみが異なる複数の仕様への対応は、合体防音パネル全体における一部の領域について、配線経路に対応して形状の異なる要素防音パネルが組み合わされるだけでよい。そのため、多くの要素防音パネルを共用しつつ、複数の仕様に対応することが可能となる。
【００１４】
また、第２態様において、要素防音パネル各々の縁部に形成された係合部が、複数の要素防音パネルの接合工程において要素防音パネル相互の位置ずれが生じることを防ぐ。その結果、複数の要素防音パネルの接合工程が容易になるとともに、合体防音パネルの品質が安定する。
【００１５】
また、第３態様において、電線と要素防音パネルに形成された舌片部とが結束材で結束される。この場合、電線と合体防音パネルとの位置関係がずれることを防止でき、合体防音パネルの品質が安定する。
【図面の簡単な説明】
【００１６】
【図１】実施形態に係る防音パネルモジュール１０の平面図である。
【図２】防音パネルモジュール１０の分解平面図である。
【図３】防音パネルモジュール１０におけるパネル重ね部の断面図である。
【図４】応用例に係る防音パネルモジュール１０Ｘの平面図である。
【図５】防音パネルモジュール１０Ｘの分解平面図である。
【図６】防音パネルモジュール１０，１０Ｘに適用可能な応用例に係るパネル重ね部の分解平面図である。
【図７】応用例に係るパネル重ね部の平面図である。
【図８】応用例に係るパネル重ね部の断面図である。
【発明を実施するための形態】
【００１７】
以下、添付の図面を参照しながら、実施形態について説明する。以下の実施形態は、本発明を具体化した一例であり、本発明の技術的範囲を限定する事例ではない。
【００１８】
＜実施形態＞
まず、図１〜３を参照しつつ、実施形態に係る防音パネルモジュール１０について説明する。防音パネルモジュール１０は、自動車などの車両の床の上に配置される車両の床用のモジュールである。
【００１９】
図１，２が示すように、防音パネルモジュール１０は、合体防音パネル２と複数の電線３を含むワイヤハーネス３０とを備える。
【００２０】
図１，２が示すワイヤハーネス３０は、複数の電線３とそれら電線３の束の端部に設けられたコネクタ３１とを有している。ワイヤハーネス３０の電線３の束における末端から一部の範囲を除く中間部は、合体防音パネル２内の配線路２０に通されている。配線路２０の詳細については後述する。
【００２１】
図１，２が示す例では、ワイヤハーネス３０の電線３の束における中間部は、電線３の束から一部の電線３が分岐した分岐構造を有している。従って、合体防音パネル２内の配線路２０も分岐した経路に沿って形成されている。
【００２２】
防音パネルモジュール１０は、車両の床用の防音パネルである合体防音パネル２と車両の床に沿って配線されるワイヤハーネス３０とが一体に組み合わさった部品の集合体である。従って、防音パネルモジュール１０は、車両の床用のワイヤハーネスモジュールであるともいえる。同様に、防音パネルモジュール１０は、車両の床用の防音パネル付ワイヤハーネス、或いは車両の床用のワイヤハーネス付防音パネルであるともいえる。
【００２３】
合体防音パネル２は、一の平面に沿って並ぶとともに外縁部どうしが重なった状態で接合された複数の要素防音パネル１を含む。本実施形態において、要素防音パネル１各々は、基部１１と要素防音パネル１の外縁部を成す第一重ね部１２及び第二重ね部１３の少なくとも一方とを有している。
【００２４】
要素防音パネル１各々は、例えば発泡樹脂のパネル部材である。より具体的には、要素防音パネル１各々がパネル状の発泡スチロールであることが考えられる。なお、防音パネル（要素防音パネル１）は、パネル状の緩衝部材（緩衝パネル）、パネル状の消音部材（消音パネル）及びパネル状の遮音部材（遮音パネル）でもある。
【００２５】
図１，２が示す例では、合体防音パネル２は、第一要素防音パネル１ａ、第二要素防音パネル１ｂ、第三要素防音パネル１ｃ及び第四要素防音パネル１ｄを含む。図１，２が示す合体防音パネル２は、これら４枚の要素防音パネル１が接合された構造を有している。
【００２６】
合体防音パネル２において、一の平面（床面）に沿って隣り合う２つの要素防音パネル１は、その一方に形成された第一重ね部１２と他方に形成された第二重ね部１３とが重なった状態で接合されている。
【００２７】
以下の説明において、隣り合う２つの要素防音パネル１における相互に重なる部分のことをパネル重ね部と称する。図３はパネル重ね部の断面図である。
【００２８】
図３は、隣り合う２つの要素防音パネル１の一方の第一重ね部１２と他方の第二重ね部１３とが重なった部分（重ね部）の断面図である。図３は、例えば図１が示すＩＩ−ＩＩ平面での断面図である。
【００２９】
隣り合う２つの要素防音パネル１の一方の第一重ね部１２及び他方の第二重ね部１３は、例えば接着剤５によって接合されている。図３が示す例では、隣り合う２つの要素防音パネル１のうちの一方の第一重ね部１２の端面と他方の基部１１の端面とが接着剤５で接着されている。さらに、隣り合う２つの要素防音パネル１のうちの一方の基部１１の端面と他方の第二重ね部１３の端面とが接着剤５で接着されている。
【００３０】
また、隣り合う２つの要素防音パネル１の一方の第一重ね部１２及び他方の第二重ね部１３は、電線３が通される配線路２０を形成している。即ち、隣り合う要素防音パネル１における相互に重なった外縁部が配線路２０を形成している。電線３は、合体防音パネル２の配線路２０に通されている。換言すれば、電線３における両端部の間の中間部が、合体防音パネル２の配線路２０に収容されている。
【００３１】
要素防音パネル１において、基部１１は平板状の部分であり、第一重ね部１２及び第二重ね部１３は、基部１１の面方向において基部１１の外縁から張り出して形成されている。第一重ね部１２は、基部１１の一方の主面側の部分に連なり、基部１１よりも小さな厚みで形成されている。同様に、第二重ね部１３は、基部１１の他方の主面側の部分に連なり、基部１１よりも小さな厚みで形成されている。
【００３２】
図３が示す例では、第一重ね部１２は、基部１１に連なる底板部１２１と、底板部１２１における基部１１から間隔を隔てた位置から基部１１の厚み方向に沿って起立した仕切部１２２とを有している。
【００３３】
一方、第二重ね部１３は、第一重ね部１２と重なった状態において底板部１２１に対して間隔を隔てて対向する天板部１３１を有している。
【００３４】
図３が示すように、隣り合う２つの要素防音パネル１のうちの一方の第一重ね部１２と他方の第二重ね部１３とが、それらの間に配線路２０を形成している。図３が示す例では、配線路２０は、２つの要素防音パネル１のうちの一方の基部１１の縁部と、その基部１１に連なる第一重ね部１２の底板部１２１及び仕切部１２２と、２つの要素防音パネル１のうちの他方の第二重ね部１３における天板部１３１とが、配線路２０の周囲を囲んでいる。
【００３５】
第一重ね部１２において、仕切部１２２は、底板部１２１上に載置された電線３が側方へはみ出すことを防ぐ。そのため、第二重ね部１３が第一重ね部１２に重ねられる前の状態において、電線３を第一重ね部１２の底板部１２１に沿って配線しやすい。
【００３６】
また、図３が示すように、要素防音パネル１各々の縁部には、隣の要素防音パネル１の縁部の一部と係り合う係合部１５，１６が形成されている。図３が示す例では、相互に係り合う係合部１５，１６の一方である第一係合部１５が、隣り合う２つの要素防音パネル１のうちの一方の第一重ね部１２における仕切部１２２の頭頂部分に形成されている。また、相互に係り合う係合部１５，１６の他方である第二係合部１６が、隣り合う２つの要素防音パネル１のうちの他方の第二重ね部１３の根元部分に形成されている。
【００３７】
図４が示す例では、第一係合部１５は要素防音パネル１の厚み方向に沿って凸状に形成された部分であり、第二係合部１６は第一係合部１５が嵌り込む窪みが形成された部分である。第二係合部１６の窪みの深さ方向は、要素防音パネル１の厚み方向である。
【００３８】
係合部１５，１６は、隣り合う２つの要素防音パネル１が、それらの主面に沿う方向における相対的な変位を制限する。即ち、係合部１５，１６は、要素防音パネル１相互の位置ずれを防ぐ。
【００３９】
図２が示す例では、第一重ね部１２において、複数の仕切部１２２が、底板部１２１の長手方向において間隔を隔てて並んで形成されている。そのため、第一重ね部１２の底板部１２１に沿って配線された１本又は複数本の電線３のうちの一部又は全部を、仕切部１２２の間から引き出して配線することが可能である。
【００４０】
また、少なくとも一部の要素防音パネル１には、電線３と結束される舌片部１４が形成されている。舌片部１４は、要素防音パネル１における配線路２０を形成する縁部の端に電線３に沿って形成されている。
【００４１】
図２が示す例では、舌片部１４は、第一重ね部１２における底板部１２１の端に形成されている。そして、防音パネルモジュール１０は、電線３と舌片部１４とを結束する結束バンド又は粘着テープなどの結束材４をさらに備えている。
【００４２】
＜防音パネルモジュールの応用例＞
次に、図４，５を参照しつつ、応用例に係る防音パネルモジュール１０Ｘについて説明する。図４は防音パネルモジュール１０Ｘの平面図である。図５は防音パネルモジュール１０Ｘの分解平面図である。
【００４３】
防音パネルモジュール１０Ｘは、図１〜３に示された防音パネルモジュール１０と比較して、第四要素防音パネル１ｄが第五要素防音パネル１ｅ及び第六要素防音パネル１ｆに置き換えられた構成を有している。図４，５において、図１〜３に示される構成要素と同じ構成要素は、同じ参照符号が付されている。以下、防音パネルモジュール１０Ｘにおける防音パネルモジュール１０と異なる点について説明する。
【００４４】
図５が示すように、防音パネルモジュール１０Ｘが備えるワイヤハーネス３０Ｘは、防音パネルモジュール１０におけるワイヤハーネス３０の経路に対して追加の経路に配線される追加電線３Ｘを備えている。
【００４５】
それぞれ一部の配線経路のみが異なるワイヤハーネス３０とワイヤハーネス３０Ｘとの違いは、例えば、オプション部品の有無又はマイナーチェンジ前後などに起因して生じる。
【００４６】
そこで、防音パネルモジュール１０Ｘは、ワイヤハーネス３０Ｘにおけるワイヤハーネス３０と共通する経路に配線される部分に対応した第一要素防音パネル１ａ、第二要素防音パネル１ｂ及び第三要素防音パネル１ｃを備えている。さらに、防音パネルモジュール１０Ｘは、第四要素防音パネル１ｄの代わりに、追加の経路に配線される追加電線３Ｘに対応した第五要素防音パネル１ｅ及び第六要素防音パネル１ｆを備えている。
【００４７】
即ち、防音パネルモジュール１０Ｘは、一の平面に沿って並ぶとともに外縁部どうしが重なった状態で接合された５枚の要素防音パネル１を含む合体防音パネル２Ｘを備えている。
【００４８】
＜効果＞
以上に示したように、合体防音パネル２，２Ｘは、一の平面に沿って並ぶとともに縁部どうしが重なった状態で接合された複数の要素防音パネル１の集合体である。そして、電線３は、隣り合う要素防音パネル１における相互に重なった第一重ね部１２及び第二重ね部１３が形成する配線路２０に通されている。
【００４９】
従って、防音パネルモジュール１０，１０Ｘが採用されれば、電線３（ワイヤハーネス３０，３０Ｘ）及び合体防音パネル２，２Ｘを一括して車両の床に取り付けることができ、車両への部品取り付けの作業効率が良くなる。
【００５０】
また、緩衝材でもある要素防音パネル１が、電線３（ワイヤハーネス３０，３０Ｘ）の周囲を覆う。そのため、電線３に異音防止用の緩衝材を取り付ける必要がなくなる。
【００５１】
さらに、床上の配線経路の一部のみが異なる複数の仕様への対応は、合体防音パネル２全体における一部の領域について、配線経路に対応して形状の異なる要素防音パネル１が組み合わされるだけでよい。防音パネルモジュール１０を防音パネルモジュール１０Ｘへ変更することがその一例である。そのため、多くの要素防音パネル１を共用しつつ、複数の仕様に対応することが可能となる。
【００５２】
また、要素防音パネル１各々の縁部に形成された係合部１５，１６が、複数の要素防音パネル１の接合工程において要素防音パネル１相互の位置ずれが生じることを防ぐ。その結果、複数の要素防音パネル１の接合工程が容易になるとともに、合体防音パネル２，２Ｘの品質が安定する。
【００５３】
＜パネル重ね部の応用例＞
次に、図６〜８を参照しつつ、第２実施形態に係る防音パネルモジュール１０，１０Ｘに適用可能な応用例に係るパネル重ね部について説明する。この応用例に係るパネルパネル重ね部は、図２，３に示されたパネル重ね部と比較して、係合部の構造が異なる。
【００５４】
図６は、応用例に係るパネル重ね部の分解平面図である。図７は、応用例に係るパネル重ね部の平面図である。図８は、応用例に係るパネル重ね部の断面図である。図８は、図７が示すＩＩＩ−ＩＩＩ平面での断面図である。図６〜８において、図１〜５に示される構成要素と同じ構成要素は、同じ参照符号が付されている。
【００５５】
応用例に係るパネル重ね部において、隣り合う２つの要素防音パネル１Ｘのうちの一方の外縁部には第一係合部１５Ｘが形成されている。さらに、隣り合う２つの要素防音パネル１Ｘのうちの他方の基部１１の外縁部には第二係合部１６Ｘが形成されている。
【００５６】
第一係合部１５Ｘは、要素防音パネル１Ｘの外縁部において要素防音パネル１Ｘの主面に沿って張り出して形成された張出部である。この第一係合部１５Ｘ（張出部）において、根元部分よりも先端部の方が大きな幅で形成されている。
【００５７】
一方、第二係合部１６Ｘは、要素防音パネル１Ｘの基部１１の外縁から内側へ切れ込んで形成された窪み部である。この第二係合部１６Ｘ（窪み部）において、基部１１の外縁側の開口の幅がそれより内側の空間の幅よりも小さな幅で形成されている。
【００５８】
そして、第一係合部１５Ｘが第二係合部１６Ｘに嵌り込むことにより、係合部１５Ｘ，１６Ｘは、隣り合う２つの要素防音パネル１Ｘが、それらの主面に沿う方向における相対的な変位を制限する。
【００５９】
防音パネルモジュール１０，１０Ｘにおいて、図６〜８に示される応用例に係る係合部１５Ｘ，１６Ｘが、係合部１５，１６の代わりに採用されてもよい。係合部１５Ｘ，１６Ｘは、係合部１５，１６よりも強固に隣り合う２つの要素防音パネル１を連結することができる。
【００６０】
＜その他の応用例＞
要素防音パネル１において、舌片部１４が第二重ね部１３における天板部１３１の端に形成されていることも考えられる。もちろん、要素防音パネル１に舌片部１４が形成されていないことも考えられる。
【００６１】
なお、本発明に係る車両の床用の防音パネルモジュールは、各請求項に記載された発明の範囲において、以上に示された実施形態及び各応用例を自由に組み合わせること、或いは実施形態及び各応用例を適宜、変形する又は一部を省略することによって構成されることも可能である。
【符号の説明】
【００６２】
１０，１０Ｘ  防音パネルモジュール
１，１Ｘ  要素防音パネル
１１  要素防音パネルの基部
１２  要素防音パネルの第一重ね部
１２１  第一重ね部の底板部
１２２  第一重ね部の仕切部
１３  要素防音パネルの第二重ね部
１３１  第二重ね部の天板部
１４  舌片部
１５，１５Ｘ  第一係合部
１６，１６Ｘ  第二係合部
１ａ  第一要素防音パネル
１ｂ  第二要素防音パネル
１ｃ  第三要素防音パネル
１ｄ  第四要素防音パネル
１ｅ  第五要素防音パネル
１ｆ  第六要素防音パネル
２，２Ｘ  合体防音パネル
２０  配線路
３  電線
３Ｘ  追加電線
３０，３０Ｘ  ワイヤハーネス
３１  コネクタ
４  結束材
５  接着剤
【図１】
2015113095.tif 000003
【図２】
2015113095.tif 000004
【図３】
2015113095.tif 000005
【図４】
2015113095.tif 000006
【図５】
2015113095.tif 000007
【図６】
2015113095.tif 000008
【図７】
2015113095.tif 000009
【図８】
2015113095.tif 000010